(57)【要約】【課題】負荷に流れる突入電流を防止する突入電流防止回路に関し、広範囲の入力電圧に対しても突入電流を防止する。【解決手段】電源スイッチＳＷをオンとした時の突入電流を防止する突入電流防止回路であって、交流電圧を整流回路２により整流してコンデンサＣと負荷３に供給する時に、少なくとも低電圧か高電圧かの異なる入力電圧を検出する電圧検出回路１と、この電圧検出回路１による検出電圧に従って突入電流を防止する抵抗Ｒ１，Ｒ２を接点ｒｓ１により切替接続するリレーＲＬ１を備え、リレーＲＬ２の接点ｒｓ２により、突入電流を防止する抵抗Ｒ１，Ｒ２を短絡する。又抵抗Ｒ１，Ｒ２を、時定数回路等によりインピーダンスを制御するトランジスタとすることができる。【選択図】　　　図１
2004104852.tif 000002
【特許請求の範囲】
【請求項１】
電源スイッチをオンとした時の突入電流を防止する突入電流防止回路に於いて、
少なくとも低電圧か高電圧かの異なる入力電圧を検出する電圧検出回路と、
該電圧検出回路による検出電圧に従って突入電流値を決定する抵抗を切替接続するリレーと
を備えたことを特徴とする突入電流防止回路。
【請求項２】
電源スイッチをオンとした時の突入電流を防止する突入電流防止回路に於いて、
少なくとも低電圧か高電圧かの異なる入力電圧を検出する電圧検出回路と、
負荷側と電源側との間に接続して電流を制御するトランジスタと、
該トランジスタのゲート電圧を前記電源スイッチをオンとした時から次第に上昇させて該トランジスタが完全オン状態となるように制御する為のコンデンサと抵抗とを含む時定数回路と、
該時定数回路の時定数を前記電圧検出回路が低電圧検出時には小さく、高電圧検出時に大きくなるように切替える切替回路と
を備えたことを特徴とする突入電流防止回路。
【請求項３】
電源スイッチをオンとした時の突入電流を防止する突入電流防止回路に於いて、
少なくとも低電圧か高電圧かの異なる入力電圧を検出する電圧検出回路と、
負荷側と電源側との間に接続して電流を制御するトランジスタと、
前記電流を検出する為の低抵抗と、
前記電源スイッチをオンとした時に前記トランジスタにゲート電圧を印加する抵抗と、
前記低抵抗により検出した電流値と設定値とを比較して前記抵抗を介して前記トランジスタのゲート電圧を制御して該トランジスタのインピーダンスを制御する演算増幅器と、
前記電圧検出回路による前記入力電圧が低電圧か高電圧かの検出に従って前記演算増幅器に入力する前記設定値を同一となるように又は異なる値となるように切替える切替回路と
を備えたことを特徴とする突入電流防止回路。
【発明の詳細な説明】
【０００１】
【発明の属する技術分野】
本発明は、異なる入力電圧に対しても、電源投入時にコンデンサに流れる突入電流を防止する突入電流防止回路に関する。
【０００２】
【従来の技術】
交流電圧を整流する整流回路の平滑用のコンデンサや、負荷と並列に接続して負荷変動に対する直流電圧の安定化を図る為のコンデンサは、比較的大きい容量を有するものである。従って、電源投入時に、そのコンデンサに電源側から大きい電流が流れて、電源側の電圧変動の原因となり、又電源側に大きい電流が流れることによる障害が発生する可能性がある。そこで、このような突入電流を防止する突入電流防止回路が各種提案されている。
【０００３】
従来の突入電流防止回路は、電源スイッチをオンとした時の突入電流を、負荷と直列に接続した抵抗によって防止し、所定時間後にその抵抗をリレーの接点で短絡する構成が一般的であったが、トランジスタ等の素子を用いた、例えば、図７に示す構成が知られている（例えば、特許文献１参照）。同図に於いて、５１は負荷、５２はコンデンサ、５３は直流電源、５４は電源スイッチ、５５は抵抗、５６は電界効果トランジスタ、５７はバイポーラトランジスタ（以下電界効果トランジスタ５６とバイポーラトランジスタ５７とをトランジスタと略称する）、５８，６２はコンデンサ、５９〜６１は抵抗、６３はツェナーダイオードを示す。
【０００４】
電源スイッチ５４をオンとすると、直流電源５３からコンデンサ５２に突入電流が流れる。この時、コンデンサ５８を介してトランジスタ５７のベースに電圧が印加されてトランジスタ５７はオンとなり、トランジスタ５６のゲートとドレインとは短絡された状態となるから、トランジスタ５６はオフ状態となる。従って、コンデンサ５２に流れる電流は抵抗５５を介して流れることになり、この抵抗５５によって突入電流を防止することができる。
【０００５】
そして、コンデンサ５８が抵抗５９，６０を介して充電されると、トランジスタ５７のベース電位は低下してオフとなる。又コンデンサ６２は抵抗６１を介して充電され、その端子電圧はツェナーダイオード６３によりツェナー電圧以上に上昇しないように制御され、そのコンデンサ６２の端子電圧がトランジスタ５６のゲートに印加されて、トランジスタ５６はオンとなる。即ち、抵抗５５を短絡して、直流電源５３から定常電流を負荷５１に供給することができる。
【０００６】
しかし、コンデンサ５２に残留電荷が充分にある状態で電源スイッチ５４をオンとすると、トランジスタ５７がオフ、トランジスタ５６がオンの状態となるから、直流電源５３からトランジスタ５６を介して負荷５１及びコンデンサ５２に電流が供給される。即ち、突入電流を充分に抑制することができないものであった。
【０００７】
そこで、図８に示す構成が提案されている（例えば、特許文献１参照）。同図に於いて、図７と同一符号は同一部分を示し、６４はＤＣ−ＤＣコンバータ、６５，６６はトランジスタ、６７〜６９は抵抗、７０はコンデンサ、７１はツェナーダイオードを示す。
【０００８】
電源スイッチ５４をオンとすると、トランジスタ６６はオンとなり、それによりトランジスタ６５はオンとなる。そして、抵抗６７とトランジスタ６５とを介してコンデンサ７０が充電され、その充電電圧がトランジスタ５６がオンとなるゲート電圧に達するまでは、トランジスタ５６はオフを継続する。従って、抵抗５５によってコンデンサ５２及びＤＣ−ＤＣコンバータ６４に流れる電流は抑制される。即ち、突入電流を防止することができる。
【０００９】
そして、コンデンサ７０の端子電圧が上昇して、トランジスタ５６のオン電圧となると、トランジスタ５６はオンとなって、抵抗５５を短絡する状態となり、直流電源５３は定常電流が供給される。又電源スイッチ５４をオフとすると、コンデンサ７０は、抵抗６８及びトランジスタ５６を介した放電経路で放電し、この放電時定数を小さく選定することにより、次に電源スイッチ５４をオンとした時、トランジスタ５６をオフ状態として突入電流を防止することができる。
【００１０】
又トランジスタを突入電流防止用として使用する図９に示す構成も提案されている（例えば、特許文献２参照）。同図に於いて、８１は負荷、８２はコンデンサ、８３は直流電源、８４は電源スイッチ、８５はトランジスタ、８６は演算増幅器、８７〜９１は抵抗、９２は定電流ダイオードを示す。
【００１１】
電源スイッチ８４をオンとすると、負荷８１とコンデンサ８２との並列回路に、トランジスタ８５と抵抗９０との直列回路を介して直流電源８３から電流が供給される。その時、抵抗９１には定電流ダイオード９２を介して一定の電流が流れ、その両端の電圧は一定値となる。又抵抗９０の両端には、負荷８１とコンデンサ８２との並列回路に流れる電流に従った電圧が生じるから、演算増幅器８６によって比較し、抵抗９０に流れる電流が設定以上とならないように、演算増幅器８６によりトランジスタ８５を制御するものである。即ち、突入電流を抑制するように、トランジスタ８５を制御することができる。
【００１２】
【特許文献１】
特開２０００−２５０６４３号公報（第２−４頁，図１，図３）
【特許文献２】
特開平５−１４６１４３号公報（第２−３頁，図１）
【００１３】
【発明が解決しようとする課題】
負荷に印加する電圧は、定格電圧に対して数パーセント或いは１０数パーセント程度の変化が許容されるものであるが、直流電源又は交流電圧を整流した直流電源に対して負荷として接続する例えばＤＣ−ＤＣコンバータは、入力電圧を例えば１００Ｖと２００Ｖ或いは１１０Ｖと２２０Ｖ等のように手動或いは自動に切替えて動作する構成が知られている。又このような負荷と並列に接続されるコンデンサは、耐圧が入力電圧に比較して充分に高く、例えば、５００Ｖや１ｋＶ等である。
【００１４】
このように入力電圧が広い負荷に対しても、電源スイッチをオンとした時の突入電流を防止することが要望されている。しかし、従来の突入電流防止回路は、入力電圧が広い範囲に対しても適用できるように説明されているとしても、入力電圧変動が数１０〜数パーセントの範囲であり、５０パーセント以上の例えば２倍程度の場合には完全に適用できないものである。
【００１５】
又負荷と並列に接続したコンデンサは、入力電圧が低い場合には、通常大きい容量とするものである。又入力電圧が高い場合は、それに対応して突入電流が大きくなるから、電源スイッチをオンとした時の突入電流防止の為の抵抗値を大きくすることが必要となる。従って、入力電圧が高い場合の突入電流を防止する構成を、入力電圧が低い場合に適用すると、抵抗値が高くなり過ぎて、コンデンサを充電して定常状態に移行するまでの時間か長くなる問題がある。
【００１６】
本発明は、複数種類の入力電圧に対しても、その入力電圧に対応した突入電流防止を自動的に可能とすることを目的とする。
【００１７】
【課題を解決するための手段】
本発明の突入電流防止回路は、図１を参照して説明すると、電源スイッチＳＷをオンとした時の突入電流を防止する突入電流防止回路であって、少なくとも低電圧か高電圧かの異なる入力電圧を検出する電圧検出回路１と、この電圧検出回路１による検出電圧に従って突入電流値を決定する抵抗を切替接続するリレーＲＬ１とを備えている。即ち、低電圧検出時は抵抗Ｒ２を抵抗Ｒ１にリレーＲＬ１の接点ｒｓ１をオンとして並列接続させて突入電流を防止し、高電圧検出時は、抵抗Ｒ１によって突入電流を防止する。
【００１８】
又少なくとも低電圧か高電圧かの異なる入力電圧を検出する電圧検出回路と、負荷側と電源側との間に接続して電流を制御するトランジスタと、このトランジスタのゲート電圧を、電源スイッチをオンとした時から次第に上昇させて、トランジスタが完全オン状態となるように制御する為のコンデンサと抵抗とを含む時定数回路と、この時定数回路の時定数を、電圧検出回路が低電圧検出時には小さく、高電圧検出時に大きくなるように切替えるリレー等による切替回路とを備えた構成とする。
【００１９】
又少なくとも低電圧か高電圧かの異なる入力電圧を検出する電圧検出回路と、負荷側と電源側との間に接続して電流を制御するトランジスタと、負荷側に流れる電流を検出する為の低抵抗と、電源スイッチをオンとした時にトランジスタにゲート電圧を印加する抵抗と、電流検出用の前記低抵抗により検出した電流値と設定値とを比較して、抵抗を介してトランジスタのゲート電圧を制御し、このトランジスタのインピーダンスを制御する演算増幅器と、電圧検出回路による入力電圧が低電圧か高電圧かの検出に従って、演算増幅器に入力する設定値を同一となるように又は異なる値となるように切替えるリレー等による切替回路とを備えた構成とする。
【００２０】
【発明の実施の形態】
図１は本発明の第１の実施の形態の説明図であり、交流電圧を整流回路２により整流して負荷３及びコンデンサＣに直流電圧を印加する場合の原理的な構成を示し、１は電圧検出回路、４は入力監視回路、５はタイマ、ＲＬ１，ＲＬ２はリレー、ｒｓ１，ｒｓ２はリレーの接点、Ｒ１，Ｒ２は抵抗、ＳＷは電源スイッチを示す。
【００２１】
負荷３は、入力電圧を例えば低電圧の１００Ｖと高電圧の２００Ｖとの何れに切替えた場合でも動作するＤＣ−ＤＣコンバータ等であり、又コンデンサＣは、入力電圧が最大の場合でも充分な耐圧を有する構成を用いるものである。又整流回路２は、ダイオード等により構成し、入力電圧の値を大幅に切替えても充分に整流動作を行う構成を有するものである。
【００２２】
又入力監視回路４は、電源スイッチＳＷをオンとした時の交流電源からの電圧を検出してタイマ５を起動する。タイマ５は、設定時間後にリレーＲＬ２を動作させる。又電圧検出回路１は、例えば、交流電源からの電圧が少なくとも低電圧の１００Ｖであるか又は高電圧の２００Ｖであるかの少なくとも２種類の異なる電圧の何れであるかを検出する。この場合、それぞれ数パーセントの変動分を含めて低電圧の１００Ｖであるか高電圧の２００Ｖであるかを検出できる構成とする。そして、低電圧の１００Ｖを検出した場合に、リレーＲＬ１を動作させる構成とする。
【００２３】
従って、交流電源の電圧が低電圧の１００Ｖの場合、電源スイッチＳＷをオンとすると、入力監視回路４はタイマ５を起動する。この時はリレーＲＬ２は動作していない。又電圧検出回路１は低電圧の１００Ｖを検出してリレーＲＬ１を動作させる。従って、接点ｒｓ１はオン、ｒｓ２はオフの状態となり、抵抗Ｒ１，Ｒ２が並列に接続されて、整流回路２を介して負荷３及びコンデンサＣに供給する電流を制限する。即ち、突入電流を防止する。この突入電流が低下する時間をタイマ５に設定してあるから、タイマ５のタイムアウトによりリレーＲＬ２を動作させて、その接点ｒｓ２をオンとし、抵抗Ｒ１，Ｒ２を短絡状態として、整流回路２を介して負荷３及びコンデンサＣに定常電流を供給する。
【００２４】
又交流電源が高電圧の２００Ｖの場合は、電源スイッチＳＷをオンとすると、電圧検出回路１は、高電圧の２００Ｖを検出し、リレーＲＬ１は動作させない。それにより、接点ｒｓ１はオフであるから、抵抗Ｒ１のみにより突入電流を抑制することになる。即ち、低電圧の１００Ｖの場合は、抵抗Ｒ１，Ｒ２の並列回路による抵抗値で突入電流の防止を行い、又高電圧の２００Ｖの場合は、抵抗Ｒ１のみで突入電流の防止を行うことができる。又抵抗Ｒ１，Ｒ２と接点ｒｓ１，ｒｓ２とを、整流回路２とコンデンサＣ２との間に接続した構成とすることもできる。又電圧種類を更に多くして、それに対応して複数のリレーを設けて、突入電流を防止する抵抗の切替えを行うことも可能である。
【００２５】
図２は本発明の第１の実施の形態の動作説明図であり、（ａ）は交流電源の電圧の概要を示し、例えば、Ｖ１を１００Ｖ、Ｖ２を２００Ｖとして示す。（ｂ）は電圧検出回路１により制御するリレーＲＬ１の動作を示し、ｒｓ１オンは、リレーＲＬ１を動作させた場合を示す。即ち、低電圧の１００Ｖを検出した時に、リレーＲＬ１を動作させる。又（ｃ）は入力監視回路４の検出信号を示し、この検出信号により起動されたタイマ５による制御されるリレーＲＬ２の動作を（ｄ）に示し、ｒｓ２オンは、リレーＲＬ２を動作させた場合を示す。又（ｅ）は電源スイッチＳＷをオンとした時に流れる電流を示す。
【００２６】
又ｔ１は電源スイッチＳＷをオンとして、低電圧Ｖ１＝１００Ｖを印加したタイミング、ｔ２はタイマ５によりリレーＲＬ２を動作させたタイミング、ｔ３は電源スイッチＳＷをオフとしたタイミング、ｔ４は電源スイッチＳＷをオンとして、高電圧Ｖ２＝２００Ｖを印加したタイミング、ｔ５はタイマ５によりリレーＲＬ２を動作させたタイミング、ｔ６は電源スイッチＳＷをオフとしたタイミングを示す。なお、負荷３をＤＣ−ＤＣコンバータとした場合、安定化直流電圧を供給する場合の電力が同一であると、交流電源の電圧を高電圧Ｖ２＝２００Ｖとした場合に、整流回路２を介して流れる電流は、低電圧Ｖ１＝１００Ｖの場合より小さい値となる。
【００２７】
図３は本発明の第２の実施の形態の説明図であり、図１と同一符号は同一部分を示し、Ｒ３〜Ｒ５は抵抗、Ｃ１はコンデンサ、Ｑ１は電界効果トランジスタ（ＦＥＴ）を示す。即ち、図１に於ける接点ｒｓ２と抵抗Ｒ１との機能を、トランジスタＱ１により実現し、且つこのトランジスタＱ１を整流回路２とコンデンサＣとの間に接続した場合を示す。
【００２８】
整流回路２の出力端子間に抵抗Ｒ３，Ｒ５の直列回路を接続し、抵抗Ｒ５にコンデンサＣ１を並列に接続し、抵抗Ｒ３に、抵抗Ｒ４とリレーＲＬ１の接点ｒｓ１との直列回路を並列に接続し、コンデンサＣ１の端子電圧をトランジスタＱ１のゲートに印加する構成とする。この場合、抵抗Ｒ３，Ｒ４とコンデンサＣ１とによる時定数回路を構成し、且つトランジスタＱ１を完全オン状態とするゲート電圧を印加できる構成とする。又接点ｒｓ１により時定数を切替えるものである。又リレーＲＬ１とその接点ｒｓ１とにより切替回路を構成している。
【００２９】
図４は本発明の第２の実施の形態の説明図であり、（ａ）は交流電源の電圧、（ｂ）はリレーＲＬ１の動作、（ｃ）はコンデンサＣ１の電圧、（ｄ）は電流を示す。タイミングｔ１に於いて電源スイッチＳＷをオンとし、電圧検出回路１により交流電源の電圧が低電圧Ｖ１の１００Ｖであると検出した場合に、リレーＲＬ１を動作させる。従って、接点ｒｓ１はオンとなり、抵抗Ｒ３に抵抗Ｒ４が並列に接続された状態となり、この並列抵抗を介してコンデンサＣ１の充電が整流回路２を介して開始され、又トランジスタＱ１を介してコンデンサＣの充電が開始される。
【００３０】
この場合のコンデンサＣ１は、時定数Ｔ１に従った充電が行われ、このコンデンサＣ１の端子電圧に従ってトランジスタＱ１のインピーダンスが制御されることになる。従って、タイミングｔ２に於いてはコンデンサＣ１の端子電圧が上昇して、トランジスタＱ１を完全なオン状態とすることができる。又タイミングｔ３に於いて電源スイッチＳＷをオフとすると、コンデンサＣ１は抵抗Ｒ５及びトランジスタＱ１を介して放電して初期状態となる。
【００３１】
又タイミングｔ４に於いて電源スイッチＳＷをオンとした時、電圧検出回路１により交流電源の電圧が高電圧Ｖ２＝２００Ｖを検出した時、リレーＲＬ１は動作させない。それにより、抵抗Ｒ３を介してコンデンサＣ１が整流回路２の整流出力電圧により充電開始される。この時の時定数Ｔ２は、低電圧の場合の時定数Ｔ１より大きくなる。従って、電源スイッチＳＷをオンとしたタイミングｔ４からトランジスタＱ１が完全オンとなるタイミングｔ５までの期間は、低電圧Ｖ１の場合に比較して長くなり、突入電流を確実に防止することができる。又タイミングｔ６に於いて電源スイッチＳＷをオフとすると、前述のように、コンデンサＣ１は抵抗Ｒ５及びトランジスタＱ１を介して放電して初期状態となる。
【００３２】
この実施の形態は、トランジスタＱ１のゲート電圧をコンデンサＣ１の充電電圧として印加するもので、その場合の充電時定数をリレーＲＬ１の接点ｒｓ１によって切替えるものであるが、この充電時定数は、コンデンサＣ１と並列に他のコンデンサを接続して時定数を大きくする等の構成とすることも可能である。又コンデンサＣ１と並列にツェナーダイオードを接続してゲート電圧が所定値を超えないように構成することも可能である。又リレーＲＬ１の代わりに、トランジスタ等による切替回路とすることができる。
【００３３】
図５は本発明の第３の実施の形態の説明図であり、図２と同一符号は同一部分を示し、Ｒ６〜Ｒ１０は抵抗、Ｑ２はトランジスタ、６は演算増幅器を示す。トランジスタＱ２は、図３に於けるトランジスタＱ１と同様にインピーダンスを制御して突入電流を防止する為のものであり、抵抗Ｒ１０は、突入電流防止用ではなく、電流検出用の低抵抗である。
【００３４】
又整流回路２の整流出力電圧を抵抗Ｒ６を介してトランジスタＱ２のゲートに印加し、そのゲート電圧を演算増幅器６によって突入電流防止の高インピーダンス状態から完全オン状態となるように制御する。又電圧検出回路１により、電源スイッチＳＷをオンとした時の交流電源の電圧を検出し、低電圧の１００Ｖの場合にリレーＲＬ１を動作させて、抵抗Ｒ７に接点ｒｓ１を介して抵抗Ｒ８を並列に接続する。それにより、演算増幅器６の＋端子には、入力電圧が低電圧の場合も高電圧の場合も同一の値の電圧を入力することができる。この場合もリレーＲＬ１とその接点ｒｓ１とを、トランジスタ等による切替回路とすることが可能である。
【００３５】
又電源スイッチＳＷをオンとして、交流電源からの交流電圧を整流回路２により整流し、その整流出力電圧をコンデンサＣと負荷３とに印加すると、トランジスタＱ２のゲートに抵抗Ｒ６を介して電圧が印加され、トランジスタＱ２と抵抗Ｒ１０とを介して電流が流れる。この低抵抗Ｒ１０により検出した電流値と、抵抗Ｒ７，Ｒ９により分圧した所定値（基準値）とを演算増幅器６に入力して比較し、所定値を超えた電流値を低減するように、トランジスタＱ２のゲート電圧を制御する。即ち、演算増幅器６は、抵抗Ｒ６を介してトランジスタＱ２のゲートに印加される電圧を、検出電流値に従ってバイパスするように制御する。それにより、トランジスタＱ２のインピーダンスが制御されて、突入電流を防止することができる。この突入電流の減少に伴ってゲート電圧を上昇させることになり、トランジスタＱ２を高インピーダンス状態から完全オンの状態に移行させることができる。
【００３６】
この実施の形態の回路構成は、従来例の図９に示す構成のトランジスタ８５による突入電流防止の構成に類似したように見えるが、この従来例に於いては、入力電圧を大幅に変更する場合の構成及びトランジスタのゲートに抵抗を介して電圧を印加し、それによりトランジスタＱ２を完全にオン状態とする構成が相違するものである。
【００３７】
図６は本発明の第３の実施の形態の動作説明図であり、（ａ）は、交流電源の電圧の概要を示し、低電圧Ｖ１＝１００Ｖ、高電圧Ｖ２＝２００Ｖの場合を示し、又（ｂ）は、電圧検出回路１により制御するリレーＲＬ１の動作を示し、ｒｓ１オンは、リレーＲＬ１を動作させた場合を示す。又（ｃ）は突入電流成分について示す。
【００３８】
電源スイッチＳＷを前述の各実施の形態と同様に、タイミングｔ１，ｔ４に於いてオンとし、タイミングｔ３，ｔ６に於いてオフとした場合で、タイミングｔ１に於いて電源スイッチＳＷをオンとし、電圧検出回路１により（ａ）に示すように低電圧Ｖ１＝１００Ｖを検出した時、リレーＲＬ１を動作させ、その接点ｒｓ１をオンとして、抵抗Ｒ７に抵抗Ｒ８を並列に接続した状態とする。
【００３９】
それにより、演算増幅器６の＋端子に入力される電圧（所定値）を、リレーＲＬ１を動作させない高電圧Ｖ２＝２００Ｖの場合と同一とすることができる。従って、交流電源の電圧が低電圧Ｖ１＝１００Ｖの場合も、又タイミングｔ４以降の高電圧Ｖ２＝２００Ｖの場合も、トランジスタＱ２を、低抵抗Ｒ１０により検出した電流値に従ってインピーダンスを制御し、突入電流のピーク値をほぼ同一となるように制限することができる。
【００４０】
なお、（ｃ）の点線波形は、高電圧Ｖ２＝２００Ｖの場合に於ける演算増幅器６の＋端子に入力する電圧（所定値）を低く設定した場合で、突入電流のピーク値を更に制限した場合を示す。即ち、演算増幅器６の＋端子に入力する所定値を変更することにより、突入電流を制限する値を変更することができる。
【００４１】
【発明の効果】
以上説明したように、本発明は、負荷が広範囲の入力電圧に対応する構成を有する場合に於いても、その入力電圧を検出し、入力電圧が低電圧か高電圧か等の電圧種別に対応して、突入電流防止の抵抗又はトランジスタによるインピーダンスを制御して、広範囲の入力電圧に対してコンデンサ等を含む負荷に対する突入電流を防止することができる利点がある。
【図面の簡単な説明】
【図１】本発明の第１の実施の形態の説明図である。
【図２】本発明の第１の実施の形態の動作説明図である。
【図３】本発明の第２の実施の形態の説明図である。
【図４】本発明の第２の実施の形態の動作説明図である。
【図５】本発明の第３の実施の形態の説明図である。
【図６】本発明の第３の実施の形態の動作説明図である。
【図７】従来の突入電流防止回路の説明図である。
【図８】従来の突入電流防止回路の説明図である。
【図９】従来の突入電流防止回路の説明図である。
【符号の説明】
１　電圧検出回路
２　整流回路
３　負荷
４　入力監視回路
５　タイマ
Ｃ　コンデンサ
ＳＷ　電源スイッチ
ＲＬ１，ＲＬ２　リレー
ｒｓ１，ｒｓ２　接点
Ｒ１，Ｒ２　抵抗
【図１】
2004104852.tif 000003
【図２】
2004104852.tif 000004
【図３】
2004104852.tif 000005
【図４】
2004104852.tif 000006
【図５】
2004104852.tif 000007
【図６】
2004104852.tif 000008
【図７】
2004104852.tif 000009
【図８】
2004104852.tif 000010
【図９】
2004104852.tif 000011